(57)【要約】【課題】体液情報を取得するための装置を提供すること。【解決手段】装置１は、インプラント１０の空洞１０ｅ内に配置されたセンサ３０を含む。第１のプローブ４０ａは、インプラント１０が骨２に埋め込まれたときに、骨２に接触するように構成されている。第２のプローブ４０ｂは、インプラント１０が骨２に埋め込まれたときに、口腔内の唾液に接触しないように唾液からシールされた第１の粘膜３に接触するように構成されている。センサ３０は、第１のプローブ４０ａが接触する骨２を流れる体液の情報を取得するように構成されている。センサ３０は、第２のプローブ４０ｂが接触する第１の粘膜３を流れる体液の情報を取得するようにさらに構成されている。【選択図】図１
2019017762.tif 000002
【特許請求の範囲】
【請求項１】
体液情報を取得するための装置であって、
口腔内の骨に埋め込まれるインプラントであって、その内部に空洞を有するインプラントと、
該空洞内に配置されたセンサと、
該センサに接続されている少なくとも１つのプローブであって、該少なくとも１つのプローブは、該インプラントの外部に延びており、該少なくとも１つのプローブは、第１のプローブおよび第２のプローブのうちの少なくとも一方を含み、該第１のプローブは、該インプラントが該骨に埋め込まれたときに、該骨に接触するように構成されており、該第２のプローブは、該インプラントが該骨に埋め込まれたときに、該骨を覆う第１の粘膜であって、該口腔内の唾液に接触しないように該唾液からシールされた第１の粘膜に接触するように構成されている、少なくとも１つのプローブと
を備え、
該センサは、該第１のプローブが接触する該骨を流れる体液の情報を取得するように構成されている、または、該第２のプローブが接触する該第１の粘膜を流れる体液の情報を取得するようにさらに構成されている、装置。
【請求項２】
前記少なくとも１つのプローブは、第３のプローブをさらに含み、該第３のプローブは、前記インプラントが前記骨に埋め込まれたときに、該第１の粘膜を覆う第２の粘膜であって、前記口腔内の唾液に接触している第２の粘膜に接触するように構成されており、
前記センサは、該第３のプローブが接触する該第２の粘膜に接触している該唾液の情報を取得するようにさらに構成されている、請求項１に記載の装置。
【請求項３】
前記センサは、第１のセンサおよび第２のセンサのうちの少なくとも一方を含み、
該第１のセンサは、前記第１のプローブが接触する前記骨を流れる体液の情報を取得するように構成されており、
該第２のセンサは、前記第２のプローブが接触する前記第１の粘膜を流れる体液の情報を取得するように構成されている、請求項１に記載の装置。
【請求項４】
前記センサは、第３のセンサをさらに含み、
該第３のセンサは、前記第３のプローブが接触する前記第２の粘膜に接触している前記唾液の情報を取得するように構成されている、請求項２に記載の装置。
【請求項５】
前記装置は、前記骨を流れる体液の情報および前記第１の粘膜を流れる体液の情報のうちの少なくとも一方が該装置の外部に読み出されることを可能にする手段をさらに備えている、請求項１または請求項３に記載の装置。
【請求項６】
前記装置は、前記第２の粘膜に接触している前記唾液の情報が該装置の外部に読み出されることを可能にする手段をさらに備えている、請求項２または請求項４に記載の装置。
【請求項７】
前記体液の情報は、それに基づいて血糖値を算出することが可能である情報である、請求項１〜６のいずれかに記載の装置。
【発明の詳細な説明】
【技術分野】
【０００１】
本発明は、体液情報を取得するための装置に関する。
【背景技術】
【０００２】
従来から、糖尿病患者は、血糖値をセルフコントロールするために食事の前と食事の後に血糖値を測定する必要があった。具体的には、食事の前の血糖値が高いと食事を制限する必要があり、食事の後に血糖値を再度測定して血糖値の上昇がないかを確認する必要があった。血糖値を測定するためには、指先を針でついて採血する必要があった。
【発明の概要】
【発明が解決しようとする課題】
【０００３】
しかしながら、指先を針でついて採血することは痛く、感染症のおそれもあり、その採血に基づいて血糖値を測定することには大変手間がかかるという課題があった。
【０００４】
本発明は、上述した課題を解決するためになされたものであり、体液情報（例えば、血液情報）を簡便な手法で取得することを可能にする装置を提供することを目的とする。これにより、体液情報（例えば、血液情報）に基づく血糖値を表示することを容易にすることが可能である。
【課題を解決するための手段】
【０００５】
本発明の装置は、体液情報を取得するための装置であって、口腔内の骨に埋め込まれるインプラントであって、その内部に空洞を有するインプラントと、該空洞内に配置されたセンサと、該センサに接続されている少なくとも１つのプローブであって、該少なくとも１つのプローブは、該インプラントの外部に延びており、該少なくとも１つのプローブは、第１のプローブおよび第２のプローブのうちの少なくとも一方を含み、該第１のプローブは、該インプラントが該骨に埋め込まれたときに、該骨に接触するように構成されており、該第２のプローブは、該インプラントが該骨に埋め込まれたときに、該骨を覆う第１の粘膜であって、該口腔内の唾液に接触しないように該唾液からシールされた第１の粘膜に接触するように構成されている、少なくとも１つのプローブとを備え、該センサは、該第１のプローブが接触する該骨を流れる体液の情報を取得するように構成されている、または、該第２のプローブが接触する該第１の粘膜を流れる体液の情報を取得するようにさらに構成されており、これにより、上記目的が達成される。
【０００６】
前記少なくとも１つのプローブは、第３のプローブをさらに含み、該第３のプローブは、前記インプラントが前記骨に埋め込まれたときに、該第１の粘膜を覆う第２の粘膜であって、前記口腔内の唾液に接触している第２の粘膜に接触するように構成されていてもよく、前記センサは、該第３のプローブが接触する該第２の粘膜に接触している該唾液の情報を取得するようにさらに構成されていてもよい。
【０００７】
前記センサは、第１のセンサおよび第２のセンサのうちの少なくとも一方を含み、該第１のセンサは、前記第１のプローブが接触する前記骨を流れる体液の情報を取得するように構成されていてもよく、該第２のセンサは、前記第２のプローブが接触する前記第１の粘膜を流れる体液の情報を取得するように構成されていてもよい。
【０００８】
前記センサは、第３のセンサをさらに含み、該第３のセンサは、前記第３のプローブが接触する前記第２の粘膜に接触している前記唾液の情報を取得するように構成されていてもよい。
【０００９】
前記装置は、前記骨を流れる体液の情報および前記第１の粘膜を流れる体液の情報のうちの少なくとも一方が該装置の外部に読み出されることを可能にする手段をさらに備えていてもよい。
【００１０】
前記装置は、前記第２の粘膜に接触している前記唾液の情報が該装置の外部に読み出されることを可能にする手段をさらに備えていてもよい。
【００１１】
前記体液の情報は、それに基づいて血糖値を算出することが可能である情報であってもよい。
【発明の効果】
【００１２】
本発明によれば、体液情報（例えば、血液情報）を簡便な手法で取得することを可能にする装置を提供することが可能である。これにより、体液情報（例えば、血液情報）に基づく血糖値を表示することを容易にすることが可能である。
【図面の簡単な説明】
【００１３】
【図１】体液情報を取得するための装置１の構成の一例を模式的に示す図
【図２】プローブ４０ａの先端部分、プローブ４０ｂの先端部分、プローブ４０ｃの先端部分を拡大して示す図
【図３】空洞１０ｅ内に配置されたセンサ３０を含む回路構成１００の一例を示す図
【発明を実施するための形態】
【００１４】
以下、図面を参照しながら、本発明の実施形態を説明する。
【００１５】
図１は、体液情報を取得するための装置１の構成の一例を模式的に示す。
【００１６】
装置１は、インプラント１０を備えている。インプラント１０は、インプラント１０の一部が口腔内の骨２に埋め込まれるように形成されている。ここで、インプラント１０が口腔内の骨２のどこにどのように埋め込まれるかは問わない。例えば、インプラントは、歯と歯の間の隙間にある骨に埋め込まれてもよいし、歯が抜けたところ（例えば、親不知が抜けたところ）の骨に埋め込むようにしてもよい。インプラント１０が骨２に埋め込まれる角度や向きは問わない。インプラント１０は、例えば、チタン製であるが、インプラントの材料は問わない。インプラント１０は、装置１を内蔵するために設計された専用のインプラントであってもよいし、人工歯を設置するために用いられる公知のインプラントに基づくものであってもよい。なお、図１に示されるインプラント１０の形状、大きさなどは一例にすぎない。本発明のインプラントの構成は、図１に示される例には限定されない。
【００１７】
インプラント１０は、その内部に空洞１０ｅを有している。装置１は、インプラント１０の空洞１０ｅ内に配置されたセンサ３０をさらに備えている。
【００１８】
装置１は、インプラント１０に設けられた孔１０ａ、１０ｂ、１０ｃを通ってインプラント１０の外部に延びているプローブ４０ａ、４０ｂ、４０ｃをさらに備えている。なお、図１に示されるプローブの数、各プローブの孔の位置、プローブの間隔、各プローブが延びている方向、各プローブが延びている長さなどは一例にすぎない。本発明のプローブの構成は、図１に示される例には限定されない。例えば、図１に示される例では、プローブ４０ａ、４０ｂ、４０ｃは、インプラント１０の壁に沿うようにほぼ鉛直方向下向きに延びているが、インプラント１０の壁にほぼ垂直な方向（または、インプラント１０の壁に対して斜め方向）に延びるようにしてもよい。
【００１９】
プローブ４０ａは、インプラント１０が骨２に埋め込まれたときに、骨２に接触するように構成されている。プローブ４０ｂは、インプラント１０が骨２に埋め込まれたときに、骨２を覆う粘膜３（すなわち、口腔内の唾液に接触しないように唾液からシールされた粘膜３）に接触するように構成されている。プローブ４０ｃは、インプラント１０が骨２に埋め込まれたときに、粘膜３を覆う粘膜４（すなわち、口腔内の唾液に接触している粘膜４）に接触するように構成されている。
【００２０】
図２は、プローブ４０ａの先端部分、プローブ４０ｂの先端部分、プローブ４０ｃの先端部分を拡大して示す。図２では、インプラント１０が骨２に埋め込まれたときの、プローブ４０ａ、４０ｂ、４０ｃの配置の例が示されている。このように、インプラント１０が骨２に埋め込まれたときに、プローブ４０ａが骨２に接触し、かつ、プローブ４０ｂが骨２を覆う粘膜３（すなわち、口腔内の唾液に接触しないように唾液からシールされた粘膜３）に接触し、かつ、プローブ４０ｃが粘膜３を覆う粘膜４（すなわち、口腔内の唾液に接触している粘膜４）に接触するようにプローブ４０ａ、４０ｂ、４０ｃの配置が予め設計されている。
【００２１】
図３は、空洞１０ｅ内に配置されたセンサ３０を含む回路構成１００の一例を示す。
【００２２】
回路構成１００は、センサ３０と、メモリ３２と、プロセッサ３４と、外部インタフェース３６とを含む。これらの構成要素は、相互に接続されている。
【００２３】
センサ３０は、インプラント１０に設けられた孔１０ａ、１０ｂ、１０ｃを通ってインプラント１０の外部に延びているプローブ４０ａ、４０ｂ、４０ｃに接続されている。センサ３０は、プローブ４０ａが接触する骨２を流れる体液（例えば、血液）の情報を取得するように構成されている。センサ３０は、プローブ４０ｂが接触する粘膜３を流れる体液（例えば、血液）の情報を取得するようにさらに構成されている。センサ３０は、プローブ４０ｃが接触する粘膜４に接触している口腔内の唾液の情報（例えば、唾液に含まれるタンパク質の情報）を取得するようにさらに構成されている。ここで、センサ３０の具体的な構成は問わない。例えば、センサ３０は、単一の構成部品で構成されていてもよいし、複数の構成部品で構成されていてもよい。例えば、センサ３０は、第１のセンサ３０ａ、第２のセンサ３０ｂ、第３のセンサ３０ｃを含んでいてもよい。この場合、第１のセンサ３０ａが、プローブ４０ａが接触する骨２を流れる体液（例えば、血液）の情報を取得するように構成されており、かつ、第２のセンサ３０ｂが、プローブ４０ｂが接触する粘膜３を流れる体液（例えば、血液）の情報を取得するように構成されており、かつ、第３のセンサ３０ｃが、プローブ４０ｃが接触する粘膜４に接触している口腔内の唾液の情報を取得するように構成されていてもよい。
【００２４】
メモリ３２には、例えば、センサ３０の出力に対する処理を実行するために必要とされるプログラムやそのプログラムを実行するために必要とされるデータ等が格納されている。ここで、プログラムをどのようにしてメモリ３２に格納するかは問わない。例えば、プログラムは、メモリ３２にプリインストールされていてもよい。あるいは、プログラムは、インターネットなどのネットワークを経由してダウンロードされることによってメモリ３２にインストールされるようにしてもよいし、光ディスクやＵＳＢなどの記憶媒体を介してメモリ３２にインストールされるようにしてもよい。
【００２５】
プロセッサ３４は、回路構成１００の全体の動作を制御する。プロセッサ３４は、メモリ３２に格納されているプログラムを読み出し、そのプログラムを実行する。これにより、装置１は、所望のステップを実行する装置として機能することが可能である。
【００２６】
外部インタフェース３６は、端末装置（図示せず）との通信を制御する。端末装置は、例えば、スマートフォン、タブレット、パーソナルコンピュータなどの任意の種類のコンピュータであり得る。外部インタフェース３６は、例えば、スマートフォンにインストールされたアプリケーションプログラムと協働して、骨２を流れる体液（例えば、血液）の情報および粘膜３を流れる体液（例えば、血液）の情報のうちの少なくとも一方が装置１の外部に読み出されることを可能にする手段として機能する。さらに、外部インタフェース３６は、例えば、スマートフォンにインストールされたアプリケーションプログラムと協働して、粘膜４に接触している唾液の情報が装置１の外部に読み出されることを可能にする手段として機能してもよい。このような情報の読み出しは、例えば、端末装置をインプラント１０に近接させることによって近距離無線通信（ＮＦＣ）などの公知の技術によって達成することが可能である。
【００２７】
このようにして、装置１の外部に読み出された情報は、端末装置（例えば、スマートフォン）のディスプレイ上に表示されることが可能である。骨２を流れる体液（例えば、血液）の情報に基づいて血糖値を算出することが可能である。粘膜３を流れる体液（例えば、血液）の情報に基づいて血糖値を算出することも可能である。骨２を流れる体液（例えば、血液）の情報および粘膜３を流れる体液（例えば、血液）の情報の両方に基づいて血糖値を算出するようにしてもよい。従って、骨２を流れる体液（例えば、血液）の情報または粘膜３を流れる体液（例えば、血液）の情報に基づいて算出された血糖値を端末装置（例えば、スマートフォン）のディスプレイ上に表示することが可能である。
【００２８】
なお、図３に示される回路構成１００には示されていないが、回路構成１００は、回路構成１００内の各構成要素に電力を供給する電力供給部を含む。ここで、電力供給部の構成は問わない。電力供給部は、装置１の外部から電力を受け取り、その受け取った電力を回路構成１００内の各構成要素に配給するようにしてもよいし、装置１の内部に内蔵された電池から電力を受け取り、その受け取った電力を回路構成１００内の各構成要素に配給するようにしてもよい。この場合、電池は、装置１の外部から充電可能な電池であることが好ましい。
【００２９】
なお、図１に示される例では、装置１が、インプラント１０に設けられた孔１０ａ、１０ｂ、１０ｃを通ってインプラント１０の外部に延びているプローブ４０ａ、４０ｂ、４０ｃを備えている構成を説明したが、装置１の構成はこれに限定されない。装置１が、インプラント１０に設けられた孔１０ａ、１０ｂ、１０ｃのうちの少なくとも１つを通ってインプラント１０の外部に延びているプローブ４０ａ、４０ｂ、４０ｃのうちの少なくとも１つを備えている構成もまた本発明の範囲内である。特に、装置１が、インプラント１０に設けられた孔１０ａ、１０ｂのうちの少なくとも１つを通ってインプラント１０の外部に延びているプローブ４０ａ、４０ｂのうちの少なくとも１つを備えている構成もまた本発明の範囲内である。
【００３０】
さらに、インプラント１０に設けられた孔１０ａ、１０ｂ、１０ｃの代わりに、スリットまたは切り欠きをインプラント１０に設けるようにしてもよい。
【００３１】
さらに、インプラント１０の外部に延びているプローブ４０ａ、４０ｂ、４０ｃのうちの少なくとも１つは、センサ３０に接続されていれば足り、必ずしも、インプラント１０に設けられた孔（またはスリットまたは切り欠き）を通ることは必要とされない。プローブ４０ａ、４０ｂ、４０ｃのうちの少なくとも１つとセンサ３０との接続の態様は任意である。例えば、そのような接続は有線接続であるか無線接続であるかを問わない。このように、インプラント１０に孔（またはスリットまたは切り欠き）を設けることは必須ではない。インプラント１０に孔（またはスリットまたは切り欠き）を設けない場合には、インプラント１０として公知の任意のインプラントを用いることが可能である。
【００３２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００３３】
本発明は、体液情報（例えば、血液情報）を簡便な手法で取得することを可能にする装置等を提供するものとして有用である。これにより、体液情報（例えば、血液情報）に基づく血糖値を表示することが容易になる。
【符号の説明】
【００３４】
１  装置
２  骨
３  粘膜
４  粘膜
１０  インプラント
１０ａ、１０ｂ、１０ｃ  孔
１０ｅ  空洞
３０  センサ
３２  メモリ
３４  プロセッサ
３６  外部インタフェース
４０ａ、４０ｂ、４０ｃ  プローブ
１００  回路構成
【図１】
2019017762.tif 000003
【図２】
2019017762.tif 000004
【図３】
2019017762.tif 000005